(57)【特許請求の範囲】
【請求項１】
つぶ状のガムを収納する縦長の箱型筒体からなる収容部と、該収容部を構成する箱型筒体の一側面を可動にしたスライド背板と、収容したつぶ状のガムを押し上げる前記収容部の底に装着した押上げバネ体と、該バネ体の先端に設けられた可動底板と、前記収容部の上端に設けられたガムを収容部から外部に押し出すためのフック機構とからなり、前記フック機構は、収容部の上部に設けられた回転軸に中央が枢支されているヘの字形ガム押出片と、背板に対抗する位置に装着された上部に前記ガム押出片を押圧回転する突片の設けられた収納部側面に沿って移動する開口を持った長板とからなることを特徴とするつぶガムディスペンサ
【請求項２】
前記ヘの字形ガム押出片は、前記長板を上方にスライドさせると収納部の開口に長板の開口が重なるとともに、上部の突片がガム押出片のガムと当接しない他端部を押圧して押出片を回動することにより、前記ガム押出片のガムと当接している端部を回転移動して前記可動底板により押上げられていた一つのつぶガムを開口へと押圧し、つぶガムを収容部の開口と重なった状態の長板の開口から前方へ排出し、また、前記長板を元の位置にスライド降下させると長板の上部の突片がヘの字形ガム押出片の突片を押し下げてガム押出片を時計方向に回転させて元の状態に戻し開口を閉鎖することを特徴とする請求項１記載のつぶガムディスペンサ
【発明の詳細な説明】
【０００１】
【発明の属する技術分野】
本発明は収納したつぶ状ガムを一個づつ取り出すことのできる縦型箱体からなるのガムディスペンサーに関し、特に、複数個のつぶ状ガムを一時に収納でき、収納部の頭部を回転操作することによりつぶガムが一個づつ口部分から押し出される構成のガムディスペンサーに関するものである。
【０００２】
【従来の技術】
板ガムについては従来より、スライド式に一枚づつ押し出されるガムディスペンサが開発されていた。板ガムのディスペンサの構成の多くは、市販されている数枚重ねた板ガムを、ディスペンサの収納部に詰め直して、収納部の底からバネ等で押圧して最上段の板ガムをスライドさせる等の手段で一枚づつ取り出す構造であった。
また、丸ガムのガムディスペンサとしては、上部に丸ガム収納部を設け、下の取り出し口に向かって丸ガムを一つづつ落下させる構造のものがあった。
【０００３】
つぶ状ガムの種類として細粒状のものと親指の爪程度の大きさのものとが存在する。細粒状のつぶ状ガムはそもそも取り出し可能な収納容器に入った状態で販売されているものであり、収納容器は同時に細粒状ガムディスペンサとして、適当な量を取出し口から振り出す構造であった。
これに対して、親指の爪程度の大きさのつぶ状ガムは板ガムと同じように棒状体の包装紙にラップされた状態で販売されており、適宜にラップを切り開いて一つづつ取り出している。取り出しに当たっては、棒状体からなるパッケージの頭部に設けられた切り取り帯体を棒状体に沿って回転させて引くことにより、パッケージの先端部を切り取ってガムを取り出す構成である。取り出す際に、最初の１個は比較的簡単に取り出せるが、２〜３個目になると、筒状袋を立てに切り開くか、側面を両側から押圧する等の力を加えて上部のつぶガムを開口となっている出口に移動させて取り出すことになる。それでも３〜４個目あたりは比較的問題なく押圧して取り出す事ができる。
【０００４】
通常のつぶ状ガムは１４個入っており、底部に入っているつぶについては、板ガムとは異なり、一部が見えている状態ではなく、全体が隠れてしまった状態で、かつ、先順のつぶガムを取り出した後の口が塞がれて狭くなっているので、容易には取り出せない状態となっていることが多い。したがって底部にあるつぶガムを取り出すにはパッケージを縦に破って取り出す必要があった。しかし、一度パッケージ全体を破ってしまうと残りのガムの収納場所に困るという欠点があった。また、パッケージ全体を破った後は、パッケージから容易に抜け落ち、ポケット内でバラバラになるといった不都合が生じていた。
板ガムに使用するスライド式のガムディスペンサでも、丸ガム等に使用される落下形のガムディスペンサであってもつぶガム用のディスペンサとしては使用できない構造であった。したがって、爪の大きさの粒状のガムについては適当な構造のガムディスペンサが存在しないのが現状であった。
【０００５】
【発明が解決しようとする課題】
本発明は、上記の不都合を解決したもので、つぶガムを収納することにより常に個々のつぶガムがバラバラになることなく、つぶガムを必要に応じて一個づつ取り出すことができ、コンパクトで使い勝手の良いつぶガムディスペンサーを提供することを目的としている。
【０００６】
【課題を解決するための手段】
前記目的を達成するために、本発明に係るつぶガムディスペンサは、つぶ状のガムを収納する縦長の箱型筒体からなる収容部と、該収容部を構成する箱型筒体の一側面を可動にしたスライド背板と、収容したつぶ状のガムを押し上げる前記収容部の底に装着した押上げバネ体と、該バネ体の先端に設けられた可動底板と、前記収容部の上端に設けられたガムを収容部から外部に押し出すためのフック機構とからなり、前記フック機構は、収容部の上部に設けられた回転軸に中央が枢支されているヘの字形ガム押出片と、背板に対抗する位置に装着された上部に前記ガム押出片を押圧回転する突片の設けられた収納部側面に沿って移動する開口を持った長板とからなる構造である。
【０００７】
前記ヘの字形ガム押出片は、前記長板を上方にスライドさせると収納部の開口に長板の開口が重なるとともに、上部の突片がガム押出片のガムと当接しない他端部を押圧して押出片を回動することにより、前記ガム押出片のガムと当接している端部を回転移動して前記可動底板により押上げられていた一つのつぶガムを開口へと押圧し、つぶガムを収容部の開口と重なった状態の長板の開口から前方へ排出し、また、前記長板を元の位置にスライド降下させると長板の上部の突片がヘの字形ガム押出片の突片を押し下げてガム押出片を時計方向に回転させて元の状態に戻し開口を閉鎖する構造である。
【０００８】
【作用】
前記構成のつぶガムディスペンサは、上記の通りの構成であり、まず複数のつぶガムを棒状のラップから取り出して、箱型筒体からなる収容部に収納する。収納に当たっては、まず、箱型筒体の一側面（裏面）にある可動スライド背板を可動底板とともにバネ体に抗して押し下げる。押し下げに当たっては、可動スライド背板の外側に設けられたつまみ凸部をスライド降下することにより係合している可動底板も押し下げられる。収納部の可動底板の上につぶ状ガムを複数個積み重ねて装填する。バネの反発により押し下げられていた可動底板は上部に戻ろうとするので積み重ねられたつぶガムは上方に押し上げられる状態で収納される。
つまみ凸部はつぶガムを装填することにより開放され、可動スライド背板を上方にスライド移動させて上部の係止部で固着させる。上方に押し上げられた状態で収納されたつぶガムは、頭部を開閉回転させるか、又は、長板を上部にスライドさせることによりフック機構により一つづつ外部に押し出される。
【０００９】
また、フック機構の実施例は、収容部２０の側壁につぶガムを排出する開口が設けられており、頭部に代えて開口のついたスライド長板を収納部側面に取り付けた構造である。長板の上部に設けられた突片９２によりヘの字型ガム押出片を下から収納部側面に沿ってスライド式に持ち上げて収納部の開口に長板の開口が重なる状態になると同時にガム押出片のガムと当接しない他端部を押圧して押出片を回動すると、ガムと当接している端部が回転移動して一つのつぶガム１ａを開口へと押圧しつぶガムを収容部の開口と重なった状態の長板の開口から前方へ排出し、また、前記長板を元の位置にスライド降下させると長板の上部の突片がヘの字形ガム押出片の突片８４ｃを押し下げてガム押出片を時計方向に回転させて元の状態に戻す。
【００１０】
【実施例】
以下、本発明にかかるつぶガムディスペンサーの構成を、図面に示した一実施例に基づいて詳細に説明する。図１はつぶガムディスペンサーを示す斜視図であり、図２（ａ）は収納部の断面図であり、同（ｂ）はスライド背板の側面図であり、（ｃ）と（ｄ）は可動底板の平面図と側面図である。図３（ａ）は収容状態を示す断面図、（ｂ）つぶガムを押し出した状態の断面図である。
つぶガムディスペンサー１０は、収容部２０と、押上げバネ体３０と、可動底板４０と、前記収容部の上端に設けられたガムを収容部から外部に押し出すためのフック機構８０とからなり、つぶガム１を収容部に収納して押上げバネ体３０により下から押し上げて、フックを回転させて一つづつ取り出す構造である。
【００１１】
収容部２０は、つぶ状のガム１を収納する縦長の箱型筒体２１からなり、箱型筒体の一側面のスライド背板２２がスライドして背側面を開閉する構造である。背板の外面上部中央には背板を上下させるつまみ凸部２４が設けられている。収容部２０の内壁面には背板をスライドさせる溝１８が削設されており、また、上部には係合凸部１９が設けられている。つまみ凸部２４をつまんで押し下げると、図２（ａ）（ｂ）で示すようにスライド背板２２は、箱体の内壁に削設された縦溝１８に沿って下方向に降下する。図２（ｂ）に示すように、スライド背板２２の両外側には突条２８が両側に設けられており、突条２８は収納部の内壁に設けられた溝１８に嵌合して背板をスライドして上下移動させる構成である。
【００１２】
スライド背板２２を係合凸部の山を乗り上げて外れ押上げバネ体３０に抗して押し下げると、スライド背板の上部に設けられている突起２６が可動底部の係合突起４６に当接して、同時に可動底部４０を押し下げる。
可動底部が押し下げられた状態でつぶガム１を箱型筒体２１の中に装填する。つぶガムの装填に当たっては箱型筒体２１を横に寝かせて押上げバネ体３０に抗して可動底部を押し下げたままの状態で複数個のつぶガムを順次詰め込む。詰め込み終わった所で可動底部を放すと、押上げバネ体３０により詰め込まれた複数のつぶガムが上方に押し上げられて、つぶガムの先頭は収容部２０の上部に押しつけられた状態となる。
【００１３】
スライド背板は、収納されたつぶガムの量により定まる可動底部の位置と同一の位置に止まるが、さらに背面のつまみ凸部２４を上方に持ち上げると可動底部とは係合がなくなるので、フリーに上にスライド移動して持ち上げることができる。これにより背が開いた状態の箱型筒体の背板をスライドして閉鎖する。スライド背板の上部には係合凸部１９が設けられており、スライド背板が蓋の閉まった状態の位置で、スライド背板の係合凹部２９に嵌合する構成である。これにより、スライド背板は一旦閉鎖されると、係合凸部と係合凹部が係合しているので動かないが、係合部の凸部の山に抗して押し下げるとスライド開放する構造である。
【００１４】
押上げバネ体３０は、収容したつぶ状のガムを押し上げるバネ体であり、この実施例では螺旋状のリングバネ体を使用している。押上げバネ体３０は、収容部２０の底２０ａと可動底部４０の裏面との間に装着されている。つぶガム１が収容部２０に収納されると、押し下げられてつぶガムを上方に常に押し上げる力となり、最上段のつぶガムがフック機構８０のつぶガム押出口に位置するように持ち上げる構成である。下からの押圧によりフック機構が確実に最上段の一個のつぶガム１ａを押出口に移動させることができる。
【００１５】
可動底板４０は、収容部２０の中に設置されるスライド式に上下する可動の底部であり、収納されるつぶガムを搭載して、底部から押上げバネ体でつぶガムを上方へ移動する底板である。図２（ｃ）は可動底板の平面図であり収容部の内部に収納される。図２（ｄ）は可動底板の側面図であり、裏側に押し上げバネ体３０の先端を収納する構造である。
【００１６】
この発明にかかるフック機構８０は図３（ａ）（ｂ）で示すような構造である。また、この実施例の収容部２０にはスライド背板と対抗する側壁に、ガムを排出する開口７４が設けられている。押上げバネ体３０により下から押し上げられている最上段のつぶガム１ａを収容部２０の開口６４から、フックを回転させて一つづつ外部に押し出す機構である。
ヘの字形ガム押出片８４は回転軸８２に回動自在に装着されており、ヘの字形に一つ手を加えた平仮名の「に」の字に似た型に形であって、上部につぶガムと接触しない押出片の他端部８４ａ、左下部につぶガムを押し出す押出片の端部８４ｂ、更に上部の他端部８４ａと対抗する位置に押出片を反転させる突起８４ｃが設けられている。
また、長板９０は図１と図３に示すように示すように、上部にフック機構を持ち上げて回動する突片９２と中央にガムを排出する開口９４を有する可動板で収容部の側壁を摺動する構成であり、外側にスライド用の凸部９６が設けられている。
【００１７】
図３（ａ）（ｂ）で示すように、フック機構８０は、収容部の上部に設けられた回転軸８２と中央が該軸に嵌合しているヘの字形ガム押出片８４とからなり、押出片の端部８４ｂは反時計方向に回転移動して可動底板が押上げている最上段の一つのつぶガム１ａと当接するように配置されている。押出片８４は収容部側面に沿ってスライドする長板９０の上部に設けられた突片９２により、図３（ｂ）に示すように持ち上げられ反時計方向に回転移動する。長板９０が上方にスライド移動すると、長板９０の中央に設けれたガムを排出する開口９４が最上段のガムの位置に到達する。それと同時に、押出片のガムと当接する端部８４ｂも同時に図の右方向に回転移動する。押出片の端部８４ｂが移動することにより、可動底板が押上げていた最上段の一つのつぶガム１ａが開口９４から開口７４を経て前方へ排出される。
【００１８】
一つのつぶガムを押し出した後は、図３（ａ）の状態に長板をスライド下降して戻す。この状態では収容部の開口７４と長板の開口９４とは重ならないので、開口がなく、閉まった状態となる。従って、携帯または持ち運ぶ際につぶガムディスペンサからつぶガムが落下することはない。
長板９０が下降すると、図３（ａ）で示すように突片９２が突起８４ｃに接合してこれを押し下げる。これにより、押出片のガムと当接する端部８４ｂも左端に移動し、次にバネ体で押し上げられていた次順位のつぶガムが最上段に上がって来る。
【００１９】
【発明の効果】
本発明に係るつぶガムディスペンサーは上記詳述した通りの構成であるので、以下のような効果がある。
（１）頭部分のないつぶガムディスペンサであり、直方体でスッキリしたデザインであり、構造的にも壊れ難く扱いが簡便である。
（２）二枚の開口が重なる位置で、フック機構の回転により、最上段のつぶガムが外部へ排出されるので、取り出しが容易であり、かつ携帯時に、開口がズレているので中に収納されているつぶガムがそとへ落ちることがない。
【図面の簡単な説明】
【図１】本件発明に係るつぶガムディスペンサーの実施例を示す収容部と長板の斜視図
【図２】（ａ）収納部の断面図、（ｂ）はスライド背板の側面図、（ｃ）は可動底板の平面図、（ｄ）は可動底板の側面図
【図３】（ａ）収容状態を示す断面図、（ｂ）つぶガムを押し出した状態の
断面図
【符号の説明】
１    つぶ状のガム
１０  つぶガムディスペンサ
１８  溝
１９  係合凸部
２０  収容部
２０ａ  収容部底
２１  箱型筒体
２２  スライド背板
２４  つまみ凸部
２６  突起
２８  凸条
２９  係合凹部
３０  押上げバネ体
４０  可動底部
４６  係合突起
８０  フック機構
８２  回転軸
８４  押出片
８４ａ  押出片の他端部
８４ｂ  押出片の端部
７４，９４  開口
８４ｃ  押出片の突起
９０  長板
９２  突片
９６  凸部
【図１】
0003839167.tif 000002
【図２】
0003839167.tif 000003
【図３】
0003839167.tif 000004